(57)【要約】【課題】プローブの先端と体腔壁との距離を一定に維持できない状況下にあっても安定した測定結果を得ることができる診断補助用装置を、提供する。【解決手段】体腔壁下の生体組織を励起するための励起光と体腔壁を照明するための赤色光とを、プローブＰを介して体腔壁へ照射するとともに、体腔壁下の生体組織から発せられる蛍光と、体腔壁の表面で反射された赤色光とを、プローブＰを介して交互に取得するように、診断補助用装置を構成する。また、取得した赤色光の強度値から補正係数を生成し、且つ、取得した蛍光中の６８０ｎｍ，６００ｎｍ，及び４６０ｎｍの光の強度値をそれぞれ補正係数で除することによって補正するように、診断補助用装置を構成する。【選択図】    図１
2004187716.tif 000002
【特許請求の範囲】
【請求項１】
生体組織を励起させるための励起光と所定の可視帯域の可視光とを交互に出力する光源部と、
前記光源部から出力される前記励起光及び前記可視光を基端から先端へ導く第１の光ファイバ，及び、先端面から入射した光を基端側へ導く第２の光ファイバを有するプローブと、
前記光源部から前記励起光が出力されている場合にのみ、前記第２の光ファイバによって基端側へ導かれた検出光のなかから少なくとも一つの所定波長帯域の光の強度を測定する強度測定部と、
前記光源部から前記可視光が出力されている場合にのみ、前記第２の光ファイバによって基端側へ導かれた検出光の強度を検出する検出部と、
前記検出部において検出された強度データを所定の基準強度データと比較することにより補正係数を生成し、前記強度測定部において得られる強度データを前記補正係数により補正するデータ補正部と、
前記データ補正部において補正された前記強度データに基づいて被検体の状態を示す評価値を算出し、その評価値をモニタ出力用の信号に変換して出力する演算処理部と
を備えることを特徴とする診断補助用装置。
【請求項２】
前記強度測定部は、
前記検出光の光路を前記第１乃至第３の波長帯域の光の光路に分離する光学系と、
前記各光路上に配置され、前記光源部から前記励起光が出力されている場合に、前記第１乃至第３の波長帯域の光をそれぞれ受光してその強度を電気信号に変換する三つの第１乃至第３光検出部と、
前記各光検出部によって検出された電気信号をそれぞれ強度データに変換して記憶する三つの第１乃至第３記憶部と
を備え、
前記データ補正部は、前記強度測定部において得られる三つの強度データを前記補正係数によりそれぞれ補正し、
前記演算処理部は、前記データ補正部において補正された前記三つの強度データに基づいて前記被検体の状態を示す評価値を算出し、その評価値をモニタ出力用の信号に変換して出力する
ことを特徴とする請求項１記載の診断補助用装置。
【請求項３】
前記光源部が発する前記可視光の波長帯域は、前記第１の波長帯域と同じ波長帯域であり、
前記検出部は、
前記光源部から前記可視光が出力されている場合には、前記第２の光ファイバによって基端側へ導かれた検出光の強度を、前記第１光検出部によって検出することを特徴とする請求項２記載の診断補助用装置。
【請求項４】
前記第１波長帯域は、６８０ｎｍを含む波長帯域であり、
前記第２波長帯域は、６００ｎｍを含む波長帯域であり、
前記第３波長帯域は、４６０ｎｍを含む波長帯域である
ことを特徴とする請求項２又は３記載の診断補助用装置。
【請求項５】
前記光源部は、
前記励起光及び前記可視光を含む白色光を発する光源と、
前記白色光のなかから前記励起光を抽出するための第１光学素子と、
前記白色光のなかから前記可視光を抽出するための第２光学素子と、
前記光源と前記第１の光ファイバの基端面との間における前記白色光の光路内に挿入されるとともに、前記第１及び第２光学素子がそれぞれ嵌め込まれた二個の開口を偏心位置に有し、回転駆動される回転ホイールと
を備えることを特徴とする請求項１乃至４の何れかに記載の診断補助用装置。
【発明の詳細な説明】
【０００１】
【発明の属する技術分野】
本発明は、生体組織の状態を示す評価値を診断用の一材料として術者に提示する診断補助用装置に、関する。
【０００２】
【従来の技術】
従来、生体組織に特定の波長の光を照射すると生体組織が励起して蛍光を発することが、知られている。また、腫瘍や癌などの病変が生じている異常な生体組織が発する蛍光における緑色帯域の赤色帯域に対する強度比が正常な生体組織のものよりも小さいことも、知られている。さらに、このような現象が食道や胃腸などの体腔の内壁（体腔壁）でも同様に出現することも、知られている。近年では、これらのような知識に基づいて、被検体である体腔壁下の生体組織の状態を診断するための一材料として上記強度比を測定することができる診断補助用装置が、開発されつつある（特許文献１参照）。
【０００３】
診断補助用装置は、通常、生体組織を励起して蛍光を放出させるための励起光を出力する光源と、蛍光のスペクトルを測定して上記強度比を算出するとともにその強度比をモニタに表示させるプロセッサと、光源の出力する励起光を基端から先端へ導いて先端面から放射する複数の第１の光ファイバと、先端面から入射した蛍光をプロセッサへ導く複数の第２の光ファイバとを、備えている。なお、第１及び第２の光ファイバは、それらの先端から過半の部分が一本の複合バンドルとして束ねられることにより、プローブとして構成されている。
【０００４】
そして、従来の内視鏡の先端が体腔内に挿入された状態でプローブがその内視鏡の鉗子チャンネルへと引き通されて、その先端が体腔壁に近接していると、光源の出力する励起光は、このプローブを通じて体腔壁に照射され、体腔壁下の生体組織を励起させる。すると、励起した生体組織から放出された蛍光は、このプローブを通じてプロセッサへ取り込まれ、そのスペクトルがプロセッサにより測定され、緑色帯域の赤色帯域に対する強度比がモニタに表示される。従って、この診断補助用装置を用いて被験者に施術を行う術者は、モニタに表示された強度比により、内視鏡の先端に対向する被検体の状態を把握することができる。
【０００５】
【特許文献１】
特開２０００−０２３９０３号公報
【０００６】
【本発明が解決しようとする課題】
ところで、生体組織から発せられる蛍光の強度は、その生体組織に照射された励起光の強度に比べると非常に微弱である。そのため、上述した診断補助用装置のプロセッサに取り込まれる蛍光の強度をできるだけ強くするためには、プローブの先端を体腔壁に押し付ければ良い。但し、プローブの先端を体腔壁に押し付けるとその先端が水性分泌物で汚れる場合が多いので、実際には、プローブの先端を体腔壁から僅かでも離すことが必要となる。なお、このようにプローブの先端を体腔壁から離して測定する場合、安定した測定結果を得るためには、プローブの先端と被検体との距離が一定であることが望ましい。
【０００７】
このような事情の下、上述した診断補助用装置を用いて例えば気管支の内壁を観察する場合、内視鏡の先端が気管支の一部に触れると、被験者が噎せてしまうので、プローブの先端と気管支の内壁との距離を一定に保つことが困難であった。また、同装置を用いて例えば肺の内壁を観察する場合、心臓の拍動の影響に因って肺の内壁が動いてしまうため、やはり、プローブの先端と肺の内壁との距離を一定に保つことが困難であった。
【０００８】
本発明は、上述したような従来の事情に鑑みてなされたものであり、その課題は、プローブの先端と体腔壁との距離を一定に維持できない状況下にあっても安定した測定結果を得ることができる診断補助用装置を、提供することにある。
【０００９】
【課題を解決するための手段】
上記の課題を解決するために、本発明による診断補助用装置は、以下のような構成を採用した。
【００１０】
すなわち、本発明による診断補助用装置は、生体組織を励起させるための励起光と所定の可視帯域の可視光とを交互に出力する光源部と、前記光源部から出力される前記励起光及び前記可視光を基端から先端へ導く第１の光ファイバ，及び、先端面から入射した光を基端側へ導く第２の光ファイバを有するプローブと、前記光源部から前記励起光が出力されている場合にのみ、前記第２の光ファイバによって基端側へ導かれた検出光のなかから少なくとも一つの所定波長帯域の光の強度を測定する強度測定部と、前記光源部から前記可視光が出力されている場合にのみ、前記第２の光ファイバによって基端側へ導かれた検出光の強度を検出する検出部と、前記検出部において検出された強度データを所定の基準強度データと比較することにより補正係数を生成し、前記強度測定部において得られる強度データを前記補正係数により補正するデータ補正部と、前記データ補正部において補正された前記強度データに基づいて被検体の状態を示す評価値を算出し、その評価値をモニタ出力用の信号に変換して出力する演算処理部とを備えることを、特徴としている。
【００１１】
このように構成されると、光源部から励起光が出力されると、第２の光ファイバの基端側へと導かれた検出光の強度が、強度測定部によって測定され、光源部から可視光が出力されると、第２の光ファイバの基端側へと導かれた検出光の強度が、検出部によって検出される。そして、検出部において検出された強度データが所定の基準強度データと比較されることにより補正係数が生成され、強度測定部において得られた強度データが、その補正係数により補正される。補正された強度データは、プローブの先端と被検体とが一定距離だけ離れている状態での強度データに換算されたものとなるので、補正後の強度データによって算出された評価値は、常時、プローブの先端と体腔壁とが一定距離だけ離れたときのものを示すこととなる。従って、被検体が体腔壁である場合にプローブの先端と体腔壁との距離を一定に維持できない状況下にあっても、安定した測定結果を得ることができる。
【００１２】
【発明の実施の形態】
以下、図面に基づいて本発明の一実施形態を説明する。
【００１３】
図１は、本発明の実施形態である診断補助用装置を概略的に示す構成図である。この診断補助用装置は、プローブＰ，並びに、筐体Ｂ内に収容された光源部１，制御部２，光学系３，第１乃至第３検出部４〜６，記憶部７，及び演算処理部８を、備えている。
【００１４】
＜プローブ＞
プローブＰは、可視光及び紫外光を導くことができる可撓な第１の光ファイバＦ１，並びに、体腔壁からの光を導くための可撓な第２の光ファイバＦ２を、何れも多数備えている。
【００１５】
また、両光ファイバＦ１，Ｆ２の先端から過半の部分は、一本に束ねられており、プローブＰにおけるこの部分は、複合部Ｐ０として構成されている。さらに、両光ファイバＦ１，Ｆ２の基端側は、別々に束ねられているため、プローブＰは、途中から二股に分岐している。プローブＰにおける分岐後の各部分は、第１分岐部Ｐ１及び第２分岐部Ｐ２として、構成されている。
【００１６】
このプローブＰは、その複合部Ｐ０の先端が内視鏡（図示略）の鉗子チャネルに引き通されるとともにその先端が内視鏡の先端面から突出した状態で、使用される。また、このプローブＰの第１及び第２分岐部Ｐ１，Ｐ２は、それらの基端が筐体Ｂ内に挿入された状態で、筐体Ｂに固定されている。
【００１７】
＜光源部＞
光源部１は、可視帯域及び紫外帯域の白色光を出力する光源である水銀ランプ１１，この水銀ランプ１１から発せられる白色光を第１分岐部Ｐ１の基端面へ収束させるリフレクター１２，並びに、図示せぬ電源から水銀ランプ１１へ供給される電力量を制御する電源回路１３を、備えている。
【００１８】
＜制御部＞
制御部２は、第１及び第２回転ホイール２１，２２，第１及び第２ドライバー２３，２４，タイミングコントローラ２５，並びに、システムコントローラ２６を、備えている。
【００１９】
第１回転ホイール２１は、円板状の外形を有し、その正面図である図２に示されるように、その外周に沿ったリング状の領域に二個の開口２１ａ，２１ｂを有している。一方の開口２１ａは、その円周上の約７／８を占めるような略Ｃ字状に形成されており、他方の開口２１ｂは、その領域の残りの殆どの部分を占めるような略扇形状に形成されている。
【００２０】
また、大きい方の開口２１ａには、約３５０ｎｍ乃至４００ｎｍの波長帯域のみの光束を透過させてその他の波長帯域の光束を遮蔽する第１バンドパスフィルタが、嵌め込まれており、小さい方の開口２１ｂには、約６００ｎｍ乃至７００ｎｍの波長帯域のみの光束を透過させてその他の波長帯域の光束を遮蔽する第２バンドパスフィルタが、嵌め込まれている。
【００２１】
この第１回転ホイール２１の中心は、モーター２１ｍの駆動軸に固定されており、さらに、この第１回転ホイール２１は、光源部１のリフレクター１２によって集光される白色光の光路に挿入されている。また、この第１回転ホイール２１の配置位置は、その中心から偏心した位置へこの白色光が入射するように、調整されている。
【００２２】
このため、第１回転ホイール２１がモーター２１ｍによって回転されると、この白色光の光路には、第１バンドパスフィルタ（第１光学素子）と第２バンドパスフィルタ（第２光学素子）とが交互に挿入される。従って、プローブＰの第１分岐部Ｐ１の基端面には、約３５０ｎｍ乃至４００ｎｍの波長帯域のみの紫外光（励起光）と、約６００ｎｍ乃至７００ｎｍの波長帯域のみの赤色光（測定用光）とが、交互に入射する。
【００２３】
なお、プローブＰの第１分岐部Ｐ１の基端面へ入射された紫外光は、プローブＰによってその先端へと導かれ、プローブＰ（光ファイバＦ１）の先端面から射出される。プローブＰの先端が体腔壁に近接している状態では、紫外光は、体腔壁下の生体組織を励起させて蛍光を放出させる。生体組織から放出された蛍光のうちの一部は、プローブＰ（光ファイバＦ２）の先端面へ入射し、プローブＰによってその基端へと導かれ、プローブＰの第２分岐部Ｐ２の基端面から射出される。
【００２４】
一方、プローブＰの第１分岐部Ｐ１の基端面へ入射された赤色光も、プローブＰによってその先端へと導かれ、プローブＰ（光ファイバＦ１）の先端面から射出される。プローブＰの先端が体腔壁に近接している状態では、赤色光は、体腔壁の表面で反射される。体腔壁の表面で反射された赤色光のうちの一部は、プローブＰ（光ファイバＦ２）の先端面へ入射し、プローブＰによってその基端へと導かれ、プローブＰの第２分岐部Ｐ２の基端面から射出される。
【００２５】
従って、第１回転ホイール２１の回転に伴って、プローブＰの第１分岐部Ｐ１の基端面へ紫外光と赤色光とが交互に入射されると、第２分岐部Ｐ２の基端面からは、蛍光と赤色光とが交互に射出されることとなる。なお、体腔壁の表面に赤色光が照射されるので、測定部位の視認が容易となる。
【００２６】
第２回転ホイール２２は、第１回転ホイール２１と相似な形状（図２参照）に形成されており、第１回転ホイール２１と同様に、略Ｃ字状の開口２２ａと略扇形状の開口２２ｂとを有している。
【００２７】
また、小さい方の開口２２ｂには、第１回転ホイール２１と同様に、約６００ｎｍ乃至７００ｎｍの波長帯域の光束のみを透過させてその他の波長帯域の光束を遮蔽するバンドパスフィルタ（第３光学素子）が、嵌め込まれている。但し、第１回転ホイール２１とは異なり、大きい方の開口２２ａには、光学フィルタが嵌め込まれていない。
【００２８】
この第２回転ホイール２２の中心は、モーター２２ｍの駆動軸に固定されており、さらに、この第２回転ホイール２２は、プローブＰの第２分岐部Ｐ２の基端面と後述の光学系３との間に、配置されている。また、この第２回転ホイール２２の配置位置は、第２分岐部Ｐ２の基端面から射出される光がその中心から偏心した位置へ入射するように、調整されている。
【００２９】
このため、第２回転ホイール２２がモーター２２ｍによって回転されると、第２分岐部Ｐ２の基端面から射出される光の光路には、開口２２ａとバンドパスフィルタとが交互に挿入される。従って、光学系３には、第２分岐部Ｐ２の基端面から射出されたそのままの光束（検出光）と、その検出光から抽出された約６００ｎｍ乃至７００ｎｍの波長帯域のみの光束とが、交互に入射する。
【００３０】
第１及び第２ドライバー２３，２４は、タイミングコントローラ２５と繋がれており、タイミングコントローラ２５の出力する基準信号の示すタイミングに同期して第１及び第２回転ホイール２１，２２が回転するように、モーター２１ｍ，２２ｍを制御する。
【００３１】
より具体的には、第１及び第２ドライバー２３，２４は、第１回転ホイール２１の開口２１ａに嵌め込まれた第１バンドパスフィルタが光路に挿入されるタイミングと、第２回転ホイール２２の開口２２ａが光路に挿入されるタイミングとを、同期させる。また、第１及び第２ドライバー２３，２４は、第１回転ホイール２１の開口２１ｂに嵌め込まれた第２バンドパスフィルタが光路に挿入されるタイミングと、第２回転ホイール２２の開口２２ｂに嵌め込まれたバンドパスフィルタが光路に挿入されるタイミングとを、同期させる。
【００３２】
このため、第１分岐部Ｐ１の基端面へ紫外光が入射されている間、第２分岐部Ｐ２の基端面から射出される検出光は、生体組織の発する蛍光と体腔壁の表面にて反射された励起光とが混合した光となり、その混合光は、第２回転ホイール２２の大きい方の開口２２ａを通過する。また、第１分岐部Ｐ１の基端面へ赤色光が入射されている間、第２分岐部Ｐ２の基端面から射出される検出光は、赤色光となり、その赤色光は、第２回転ホイール２２の小さい方の開口２２ｂに嵌め込まれたバンドパスフィルタを透過する。このような第１及び第２回転ホイール２１，２２の同期回転に伴って、光学系３には、混合光と赤色光とが交互に入射する。
【００３３】
システムコントローラ２６は、診断補助用装置全体を制御する。このシステムコントローラ２６は、タイミングコントローラ２５に繋がれており、タイミングコントローラ２５の出力する基準信号に従って、診断補助用装置における各種処理を進行させる。また、システムコントローラ２６は、後述する第１乃至第３信号処理部４〜６の第１乃至第３光検出器４１，５１，６１に繋がれているとともに、第１乃至第３光検出器４１，５１，６１が電気信号を出力するタイミングを制御する。さらに、このシステムコントローラ２６は、後述する記憶部７の第１乃至第４メモリ７１〜７４に繋がれているとともに、第１乃至第４メモリ７１〜７４のデータの入出力タイミングを制御するメモリコントローラを、含んでいる。
【００３４】
＜光学系＞
光学系３は、コリメートレンズ３１，第１及び第２ビームスプリッター３２，３３，第１乃至第３集光レンズ３４〜３６，並びに、第１乃至第３光学フィルタ３７〜３９を、備えている。
【００３５】
コリメートレンズ３１は、プローブＰの第２分岐部Ｐ２の基端面から射出される光を平行光に変換するレンズである。なお、上述したように、第１及び第２回転ホイール２１，２２が同期回転しているときには、このコリメートレンズ３１には、混合光と赤色光とが、交互に入射する。
【００３６】
第１及び第２ビームスプリッター３２，３３は、コリメートレンズ３１を透過した光から、一部の波長帯域の光を反射し、残りの波長帯域の光を透過させる光学素子である。より具体的には、第１ビームスプリッター３２は、コリメートレンズ３１を透過した光のなかから、４６０ｎｍを含む数ｎｍの波長帯域の光を反射させ、残りの波長帯域の光を透過させる。この第１ビームスプリッター３２によって反射された光は、第３集光レンズ３６へ入射する。また、第２ビームスプリッター３３は、第１ビームスプリッター３２を透過した光のなかから、６００ｎｍを含む数ｎｍの波長帯域の光を反射させ、残りの波長帯域の光を透過させる。この第２ビームスプリッター３３によって反射された光は、第２集光レンズ３５へ入射し、第２ビームスプリッター３３を透過した光は、第１集光レンズ３４へ入射する。
【００３７】
第１乃至第３集光レンズ３４〜３６は、入射してきた光を収束させる。第１光学フィルタ３７は、第１集光レンズ３４を透過した光から、６８０ｎｍの光を透過させ、残りの波長帯域の光を遮蔽する。第２光学フィルタ３８は、第２集光レンズ３５を透過した光から、６００ｎｍの光を透過させ、残りの波長帯域の光を遮蔽する。第３光学フィルタ３９は、第３集光レンズ３６を透過した光から、４６０ｎｍの光を透過させ、残りの波長帯域の光を遮蔽する。
【００３８】
なお、この光学系３は、上述したような構成を有するため、プローブＰの第２分岐部Ｐ２の基端面から混合光が射出されている場合には、その混合光から６８０ｎｍ，６００ｎｍ，及び４６０ｎｍの光を抽出し、第２分岐部Ｐ２の基端面から赤色光が射出されている場合には、その赤色光から６８０ｎｍの光を抽出する。
【００３９】
＜信号処理部＞
第１乃至第３信号処理部４〜６は、何れも、光検出器（ＰＤ）４１，５１，６１と、増幅器４２，５２，６２と、ノイズカットフィルタ（ＮＣＦ）４３，５３，６３と、Ａ／Ｄ変換器４４，５４，６４とを、備えている。
【００４０】
第１乃至第３光検出器４１，５１，６１は、第１乃至第３光学フィルタ３７〜３９をそれぞれ透過した６８０ｎｍ，６００ｎｍ，及び４６０ｎｍの光を光電変換して電荷を蓄積するセンサーであり、システムコントローラ２６の示すタイミング毎に、蓄積電荷に対応する電気信号を出力し、蓄積電荷をリセットし、蓄積を開始する。
【００４１】
なお、上記タイミングについてより具体的に説明するならば、第１乃至第３光検出部４１，５１，６１は、第１及び第２回転ホイール２１，２２の大きい方の開口２１ａ，２２ａが各々の光路を横切り終えると、６８０ｎｍ，６００ｎｍ，及び４６０ｎｍの光の強度に対応する電気信号を、それぞれ、出力する。また、第１及び第２回転ホイール２１，２２の小さい方の開口２１ｂ，２２ｂが各々の光路を横切り終えると、第１乃至第３光検出部４１，５１，６１は、６８０ｎｍ，６００ｎｍ，及び４６０ｎｍの光の強度に対応する電気信号を、出力する。
【００４２】
第１乃至第３増幅器４２，５２，６２は、各々に対応する光検出器４１，５１，６１から出力された信号を、所定の増幅率にて増幅して出力する。第１乃至第３ノイズカットフィルタ４３，５３，６３は、各々に対応する増幅器４２，５２，６２から出力された信号から、ノイズの成分を除去して出力する。第１乃至第３Ａ／Ｄ変換器４４，５４，６４は、各々に対応するノイズカットフィルタ４３，５３，６３から出力されたアナログ信号をデジタル信号に変換して、記憶部７へ出力する。
【００４３】
＜記憶部＞
記憶部７は、第１乃至第４メモリ７１〜７４を、備えている。第１乃至第４メモリ７１〜７４は、システムコントローラ２６が書き込みタイミングを指示した時点で第１乃至第３Ａ／Ｄ変換器４４，５４，６４から出力されているデジタル信号を、記憶する。
【００４４】
より具体的には、第１乃至第３メモリ７１〜７３は、第１及び第２回転ホイール２１，２２の大きい方の開口２１ａ，２２ａが各々の光路を横切り終えた時点で、第１乃至第３Ａ／Ｄ変換器４４，５４，６４から送られてきたデジタル信号を強度値データとして記憶する。
【００４５】
一方、第４メモリ７４は、第１及び第２回転ホイール２１，２２の小さい方の開口２１ｂ，２２ｂが各々の光路を横切り終えた時点で、第１Ａ／Ｄ変換器４４から送られてきたデジタル信号を強度値データとして記憶する。
【００４６】
なお、第１乃至第３メモリ７１〜７３は、第１及び第２回転ホイール２１，２２の小さい方の開口２１ｂ，２２ｂが各々の光路を横切り終えた時点で、第１乃至第３Ａ／Ｄ変換器４４，５４，６４からデジタル信号が送られてきても、強度値データを記憶しない。
【００４７】
そして、第１乃至第４メモリ７１〜７４は、第１及び第２回転ホイール２１，２２が一回転を終えると、記憶していた強度値データを、同時に、演算処理部８に接続されている出力端子へ出力する。
【００４８】
＜演算処理部＞
演算処理部８は、第１乃至第３メモリ７１〜７３から送られてくる各強度値データの示す強度値を補正し、補正された各強度値に基づいて、被検体の状態を示す評価値を算出し、その評価値を測定結果としてモニターＭに出力する。図３は、各強度値を補正する処理を簡単に説明するためのブロック図である。
【００４９】
演算処理部８は、まず、事前に記憶しておいた基準強度値を利用して、第４メモリ７４から入力される強度値データの示す強度値（Ｉ（ｒｅｆ））を基準強度値で除すことによって比率を算出し、得られた比率を補正係数（Ｋ）として取得する。次に、演算処理部８は、第１乃至第３メモリ７１〜７３から入力される強度値データの示す強度値（Ｉ（λ１），Ｉ（λ２），Ｉ（λ３））を、それぞれ上記補正係数で除し、各強度値を補正する。その後、演算処理部８は、補正された各強度値（Ｉ（λ１）／Ｋ，Ｉ（λ２）／Ｋ，Ｉ（λ３）／Ｋ）に基づいて、被検体の状態を示す評価値を算出し、その評価値を測定結果としてモニターＭに出力する。
【００５０】
＜本実施形態の機能＞
以上のように構成される本実施形態の診断補助用装置において、第１乃至第３メモリ７１〜７３に記録された強度値データは、プローブＰの先端に近接した体腔壁下の生体組織が発する蛍光における６８０ｎｍ（＝λ１），６００ｎｍ（λ２），及び４６０ｎｍ（＝λ３）での強度値（Ｉ（λ１），Ｉ（λ２），Ｉ（λ３））を示す。また、第４メモリ７４に記録された強度値データは、プローブＰの先端に近接した体腔壁の表面によって反射された赤色光の強度値（＝Ｉ（ｒｅｆ））を示している。そして、体腔壁における同じ箇所に赤色光及び紫外光が照射されている場合、これらの強度値（Ｉ（ｒｅｆ），Ｉ（λ１），Ｉ（λ２），Ｉ（λ３））は、プローブＰの先端が体腔壁のその箇所に近付くと増加し、プローブＰの先端が体腔壁のその箇所から遠退くと減少する。
【００５１】
しかし、蛍光における６８０ｎｍ，６００ｎｍ，及び４６０ｎｍでの強度値を除する補正係数Ｋは、プローブＰの先端が体腔壁から遠退くと増加し、プローブＰの先端が体腔壁に近付くと減少する。このため、蛍光における６８０ｎｍ，６００ｎｍ，及び４６０ｎｍでの強度値（Ｉ（λ１），Ｉ（λ２），Ｉ（λ３））は、プローブＰの先端と体腔壁との距離が大きくなることによって減少された場合には、その距離が適正距離であるときの値となるように補正係数によって増加され、プローブＰの先端と体腔壁との距離が小さくなることによって増加された場合には、その距離が適正距離であるときの値となるように補正係数によって減少される。
【００５２】
従って、蛍光における６８０ｎｍ，６００ｎｍ，及び４６０ｎｍでの強度値は、常に、プローブＰの先端と体腔壁との距離が適正距離であるときの強度値（Ｉ（λ１）／Ｋ，Ｉ（λ２）／Ｋ，Ｉ（λ３）／Ｋ）となるように、補正されるので、プローブＰの先端と体腔壁との距離を一定に維持できない状況下にあっても、モニターＭには、常に安定した評価値が測定結果として表示されることとなる。その結果、この診断補助用装置を用いて被験者に施術を行う術者は、モニタに表示された評価値により、内視鏡の先端に対向する被検体である体腔壁下の生体組織の状態を、正確に把握することができる。
【００５３】
【発明の効果】
以上に説明したように、本発明によれば、プローブの先端と体腔壁との距離を一定に維持できない状況下にあっても安定した測定結果を得ることができる。
【図面の簡単な説明】
【図１】本発明の実施形態である診断補助用装置を概略的に示す構成図
【図２】回転ホイールの正面図
【図３】６８０ｎｍ，６００ｎｍ，及び４６０ｎｍの光の強度値を補正する処理を簡単に説明するためのブロック図
【符号の説明】
１          光源部
１１        水銀ランプ
１２        リフレクター
１３        電源回路
２          制御部
２１        第１回転ホイール
２２        第２回転ホイール
２３        第１ドライバー
２４        第２ドライバー
２５        タイミングコントローラ
２６        システムコントローラ
３          光学系
３１        コリメートレンズ
３２，３３  ビームスプリッター
３４〜３６  集光レンズ
３７〜３９  光学フィルタ
４〜６      信号処理部
７          記憶部
７１        第１メモリ
７２        第２メモリ
７３        第３メモリ
７４        第４メモリ
８          演算処理部
Ｐ          プローブ
Ｍ          モニター
【図１】
2004187716.tif 000003
【図２】
2004187716.tif 000004
【図３】
2004187716.tif 000005